(57)【要約】【課題】乳幼児を確実に拘束でき、かつ、使い勝手も良い拘束用具を提供する。【解決手段】乳幼児１を仰臥または伏臥の状態で拘束する拘束用具であって、乳幼児を乗せる基体３０と、基体３０に装着するカバー４０と、カバーの乳幼児を乗せる面４０Ａ、または基体３０の乳幼児を乗せる一面３０Ａに設けられ、乳幼児の胴体部分１Ａを拘束する胴体帯部材３と、カバーの乳幼児を乗せる面４０Ａまたは基体の乳幼児を乗せる一面３０Ａに設けられ、乳幼児１の両腕１Ｂ，１Ｃを拘束する一対の帯部材４，５を備えている。【選択図】図７
0003127841.tif 000002
【実用新案登録請求の範囲】
【請求項１】
乳幼児を仰臥または伏臥の状態で拘束する拘束用具であって、
基体と、
前記乳幼児を乗せる前記基体の一面に設けられ、前記乳幼児の胴体部分を拘束する胴体帯部材と、
前記基体の一面に設けられ、前記乳幼児の両腕を拘束する一対の帯部材を備えることを特徴とする乳幼児用拘束用具。
【請求項２】
乳幼児を仰臥または伏臥の状態で拘束する拘束用具であって、
前記乳幼児を乗せる基体に装着するカバーと、
前記カバーの乳幼児を乗せる面に設けられ、前記乳幼児の胴体部分を拘束する胴体帯部材と、
前記カバーの乳幼児を乗せる面に設けられ、前記乳幼児の両腕を拘束する一対の帯部材を備えることを特徴とする乳幼児用拘束用具。
【請求項３】
乳幼児を仰臥または伏臥の状態で拘束する拘束用具であって、
前記乳幼児を乗せる基体と、
前記基体に装着するカバーと、
前記カバーの乳幼児を乗せる面、または前記基体の乳幼児を乗せる一面に設けられ、前記乳幼児の胴体部分を拘束する胴体帯部材と、
前記カバーの乳幼児を乗せる面または基体の乳幼児を乗せる一面に設けられ、前記乳幼児の両腕を拘束する一対の帯部材を備えることを特徴とする乳幼児用拘束用具。
【請求項４】
前記一対の帯部材は、前記胴体帯部材よりも上方または下方に設けられていることを特徴とする請求項１，２または３記載の乳幼児用拘束用具。
【請求項５】
前記カバーは、少なくともその一部が開口可能な袋状を成し、少なくともその開口部の一部を閉じる封止部材を備えていることを特徴とする請求項２、３または４記載の乳幼児用拘束用具。
【請求項６】
前記カバーは、前記乳幼児を乗せる面が撥水性素材または撥水加工が施されていることを特徴とする請求項２ないし５の何れかに記載の乳幼児用拘束用具。
【請求項７】
前記基体は、硬質ウレタンまたは樹脂で構成され、乳幼児を載置したときに乳幼児の下半身が位置する部分が窪んでいることを特徴とする請求項１、３、４，５または６記載の乳幼児用拘束用具。
【請求項８】
前記基体または前記カバーの少ないも一方は、クッション部材で構成されていることを特徴とする請求項１ないし７の何れかに記載の乳幼児用拘束用具。
【請求項９】
前記胴体帯部材及び一対の帯部材は、その両端がそれぞれ着脱可能とされ、それぞれの長さが変更可能であることを特徴とする請求項１ないし８の何れかに記載の乳幼児用拘束用具。
【考案の詳細な説明】
【技術分野】
【０００１】
本考案は、乳幼児用の拘束用具に関する。
【背景技術】
【０００２】
従来から、乳幼児のオムツを交換する際には、乳幼児が横に回転したり、寝返りをうったり、起き上がったりするため、オムツの交換は手間や労力がかかる作業となっていた。そして、このようなオムツを換える作業を容易にするため、乳幼児のオムツ交換の際に、乳幼児が拘束を嫌がり寝返りをうつのを防止する器具が知られている。
【０００３】
たとえば、特許文献１に記載の寝返り抑制ベルトは、固定ベルトの中間に固定部材を設け、両端に長さ調節部材付脱着器を設けている。そして、長さ調節部材付脱着器より延長されたベルトを、寝返りを抑制する抑制ベルトとして固定部材に通し、更に抑制ベルトの両端に長さ調節部材付脱着器を設けている。このようにして、オムツ交換の際、乳幼児の寝返りを抑制し、容易なオムツ交換を可能にしている。
【０００４】
また、特許文献２に記載のオムツ交換時の暴れ防止具は、乳幼児の肩巾または腰より大きい板状態の軽量物に簡易式脱着器により取付けられた肩または腕を固定する固定装置を取付け乳幼児の肩または腕を固着する。このようにして、乳幼児のオムツ交換時に乳
幼児が暴れるのを防止し、円滑なオムツの交換を可能にしている。
【０００５】
【特許文献１】特開２００４−１３００３９号公報
【特許文献２】特開平９−１０８２５４号公報
【考案の開示】
【考案が解決しようとする課題】
【０００６】
特許文献１において提案されている寝返り抑制ベルトは、一本のベルトにより軽量物を縛る固定ベルトと、乳幼児を拘束する抑制ベルトとを構成し、オムツ交換を容易にしようとするものである。しかしながら、この寝返り抑制ベルトを持っていても、固定ベルトにより縛ることができる軽量物が周囲になければ、単体では寝返り抑制ベルトを使用することができない。また、ベルトを縛る対象の軽量物として適切なものを選び、かつ乳児を縛る位置を調整しなければ、乳児の起き上がりの動作を防止できない。
【０００７】
特許文献２において提案されている暴れ防止具は、板に設けた穴に、マジックテープ（登録商標）付きのベルトを通して、ベルトにより乳幼児の腕または肩を固定している。しかしながら、これでは、両腕または両肩を固定できても腰を固定できないので、柔軟性のある乳幼児の横方向への回転を抑制することができない。
【０００８】
本考案は、このような事情に鑑みてなされたものであり、乳幼児を確実に拘束でき、かつ、使い勝手も良い拘束用具を提供することを目的とする。
【課題を解決するための手段】
【０００９】
上記目的を達成するため、請求項１の考案は、乳幼児を仰臥または伏臥の状態で拘束する拘束用具であって、基体と、幼児を乗せる基体の一面に設けられ、乳幼児の胴体部分を拘束する胴体帯部材と、基体の一面に設けられ、乳幼児の両腕を拘束する一対の帯部材を備えることを特徴としている。
【００１０】
請求項２の考案は、乳幼児を仰臥または伏臥の状態で拘束する拘束用具であって、乳幼児を乗せる基体に装着するカバーと、カバーの乳幼児を乗せる面に設けられ、乳幼児の胴体部分を拘束する胴体帯部材と、カバーの乳幼児を乗せる面に設けられ、乳幼児の両腕を拘束する一対の帯部材を備えることを特徴としている。
【００１１】
請求項３の考案は、乳幼児を仰臥または伏臥の状態で拘束する拘束用具であって、乳幼児を乗せる基体と、基体に装着するカバーと、カバーの乳幼児を乗せる面または基体の乳幼児を乗せる一面に設けられ、乳幼児の胴体部分を拘束する胴体帯部材と、カバーの乳幼児を乗せる面または基体の乳幼児を乗せる一面に設けられ、乳幼児の両腕を拘束する一対の帯部材を備えることを特徴としている。
【００１２】
請求項４の考案は、請求項１，２または３記載の乳幼児用拘束用具において、一対の帯部材は、胴体帯部材よりも上方または下方に設けられていることを特徴としている。
【００１３】
請求項５の考案は、請求項２、３または４記載の乳幼児用拘束用具において、カバーは、少なくともその一部が開口可能な袋状を成し、少なくともその開口部の一部を閉じる封止部材を備えていることを特徴としている。
【００１４】
請求項６の考案は、請求項２ないし５の何れかに記載の乳幼児用拘束用具において、カバーは、乳幼児を乗せる面が撥水性素材または撥水加工が施されていることを特徴としている。
【００１５】
請求項７の考案は、請求項１，３，４，５または６記載の乳幼児用拘束用具において、基体は、硬質ウレタンまたは樹脂で構成され、乳幼児を載置したときに乳幼児の下半身が位置する部分が窪んでいることを特徴としている。
【００１６】
請求項８の考案は、請求項１ないし７の何れかに記載の乳幼児用拘束用具において、基体またはカバーの少ないも一方が、クッション部材で構成されていることを特徴としている。
【００１７】
請求項９の考案は、請求項１ないし８の何れかに記載の乳幼児用拘束用具において、胴体帯部材及び一対の帯部材が、その両端がそれぞれ着脱可能とされ、それぞれの長さが変更可能であることを特徴としている。
【考案の効果】
【００１８】
本考案によれば、基体と、幼児を乗せる基体の一面に設けられ、乳幼児の胴体部分を拘束する胴体帯部材と、基体の一面に設けられ、乳幼児の両腕を拘束する一対の帯部材を備えているので、基体に対して乳幼児の両腕と胴体を確実に拘束することができるので、寝返りや起き上がりを有効に防止でき、オムツ交換時の使い勝手がよい。
【００１９】
本考案によれば、乳幼児を乗せる基体に装着するカバーと、カバーの乳幼児を乗せる面に設けられ乳幼児の胴体部分を拘束する胴体帯部材と、カバーの乳幼児を乗せる面に設けられ、乳幼児の両腕を拘束する一対の帯部材を備えているので、カバーだけを持ち歩いて、既設の乳幼児用の基体に対して装着することで、乳幼児の両腕と胴体を確実に拘束することができるので、寝返りや起き上がりを有効に防止でき、オムツ交換時の使い勝手がよく、携帯性にも優れたものになる。
【００２０】
本考案によれば、乳幼児を乗せる基体と、基体に装着するカバーと、カバーの乳幼児を乗せる面または基体の乳幼児を乗せる一面に設けられ、乳幼児の胴体部分を拘束する胴体帯部材及び乳幼児の両腕を拘束する一対の帯部材を備えているので、基体で乳幼児を支えつつも両腕と胴体を確実に拘束することができるので、寝返りや起き上がりを有効に防止でき、オムツ交換時の使い勝手がよい。
【００２１】
本考案によれば、一対の帯部材を胴体帯部材よりも上方または下方に設けたので、乳幼児の体型に合わせて両手を上げた状態または下げた状態で拘束することができるので、確実な拘束状態を維持しながらもより使い勝手がよくなる。
【００２２】
本考案によれば、カバーが少なくともその一部が開口可能な袋状を成し、少なくともその開口部の一部を閉じる封止部材を備えているので、基体に対して容易にカバーを着脱することができるので、カバーの交換や取付けを容易に行なえ、使い勝手が良くなる。
【００２３】
本考案によれば、カバーの乳幼児を乗せる面が撥水性素材または撥水加工を施されているので、オムツ交換時にお漏らしをした場合でもカバーへのしみ込みを防止できると共に、容易に拭き取る事ができるので、使い勝手がよい。
【００２４】
本考案によれば、基体が硬質ウレタンまたは樹脂で構成され、乳幼児を載置したときに乳幼児の下半身が位置する部分が窪んでいるので、材料コストを低減しながら同時に窪みからオムツを着脱できるため、寝返りや起き上がりをより有効に防止しながらも、より使い勝手がよくなる。
【００２５】
本考案によれば、基体またはカバーの少ないも一方が、クッション部材で構成されているので、乳幼児の載せた時の座りがよく、確実な寝返りや起き上がりを有効に防止しながらもより使い勝手がよくなる。
【００２６】
本考案によれば、胴体帯部材及び一対の帯部材が、その両端がそれぞれ着脱可能とされ、それぞれの長さが変更可能であるので、乳幼児の体型に合わせて対応することができるので、寝返りや起き上がりを有効に防止しながらもより使い勝手がよくなる。
【考案を実施するための最良の形態】
【００２７】
以下、本考案の実施の形態について図面を用いて説明する。
（第一の形態）
図１に示す乳幼児用拘束用具は、乳幼児１を仰臥または伏臥の状態で拘束する拘束用具であって、基体となるボード２と、乳幼児１を乗せるボート２の一面２Ａに設けられ、乳幼児１の胴体部分１Ａを拘束する胴体帯部材３と、ボート２の一面２Ａに設けられ、乳幼児１の両腕１Ｂ，１Ｃを拘束する一対の帯部材４，５を備えている。
【００２８】
ボード２は樹脂で形成されている。ボード２の形状は、乳幼児１を一面２Ａに載置したときに、乳幼児の下半身１Ｄが位置する部分にくぼみ部６が形成されている。このくぼみ部６は、傾斜面であっても良いし、半球状であっても良いし、断面Ｕ字形状であっても良い。あるいは、ボード全体が弓状に湾曲した形状であっても良い。このような弓状に湾曲した形状である場合、乳幼児１を載せると、乳幼児１の姿勢が、両肩が体の中心に向かって寄せられる姿勢となるので、この姿勢により乳幼児１の動きを規制することができる。
【００２９】
胴体帯部材３は、その両端３ａ，３ｂがそれぞれ着脱可能となるように構成されていて、その両端３ａ，３ｂを互いに連結することで、閉鎖したリング状になり、胴体部分１Ａをボード２に拘束する。一対の帯部材４，５も、それぞれの両端４ａ，４ｂ、５ａ，５ｂがそれぞれ着脱可能となるように構成されていて、各両端を互いに連結することで、閉鎖したリング状になり、両腕１Ｂ，１Ｃをボード２に拘束する。本形態において、一対の帯部材４，５は、胴体帯部材３よりも上方に配置されていて、両腕１Ｂ，１Ｃをボード２の上方に上げた状態で拘束するようになっている。一対の帯部材４，５の配置場所は、胴体帯部材３よりも上方に限定されるものではなく、胴体帯部材３よりも下方に配置して、両腕１Ｂ，１Ｃを下げた状態で拘束するようにしてもよい。
【００３０】
胴体帯部材３及び一対の帯部材４，５の、ボート２への取付けは、ボード２に胴体帯部材３及び一対の帯部材４，５が挿通可能な大きさの開口部７，８，９を設け、開口部７，８，９にそれぞれ胴体帯部材３と一対の帯部材４，５を挿通させればよい。
【００３１】
このような構成の乳幼児用拘束用具によると、ボード２に対して乳幼児１を、例えば仰向けに寝かせ、離れている両端３ａ，３ｂを持って胴体帯部材３を胴体１Ａに巻きつけ両端３ａ，３ｂを連結するように装着する。次に、両腕１Ｂ，１Ｃの上にして、帯部材４，５離れている両端４ａ，４ｂ及び両端５ａ，５ｂを持って両腕１Ｂ，１Ｃに巻きつけ各両端をそれぞれ連結するように装着する。このため、図２に示すように、乳幼児１の胴体１Ａと両腕１Ｂ，１Ｃとを確実にボード２に拘束することができるので、寝返りや起き上がりを有効に防止でき、オムツ交換時やベビーパウダーや薬等を付ける際の使い勝手がよい。
【００３２】
本形態においては、ボード２を樹脂で構成しているので、水を使用する場所、例えば、入浴時に乳幼児を保持する場合にも利用することが可能である。この場合、胴体帯部材３及び一対の帯部材４，５にも水はけの良い材料を用いればよい。
【００３３】
ボード２の材料としては樹脂に限定するものではなく、発泡材や硬質ウレタン、クッション材を用いても良い。この場合、入浴時の使用には濡れてしまうので不向きであるが、オムツ交換時やベビーパウダーや薬等を付ける際には、クッション性が増すので、ボード２に寝かせた乳幼児１座りがよくなるとともに、外部からの乳幼児１を保護できるので好ましい。
（第二の形態）
図３に示す乳児用拘束用具は、乳幼児１を乗せる基体としての載置台２０に装着するカバー１０と、カバー１０の乳幼児１を乗せる面１０Ａに、胴体帯部材３及び一対の帯部材４，５を有している。カバー１０は、布材で形成されていて、少なくともその一部が開口可能な袋状を成し、その開口部１０Ｂを閉じる封止部材となるジッパー１１を備えている。
【００３４】
本形態において、胴体帯部材３及び一対の帯部材４，５は、カバー１０に縫い付けるので、その材質にはカバー１０と同様、布材を用いる。カバー１０、胴体帯部材３及び一対の帯部材４，５に用いる布材としては、コットン、ガーゼ綿などの乳幼児１の肌に優しい材質であるのが好ましい。本形態においても、一対の帯部材４，５は、胴体帯部材３よりも上方に配置しても良いし、下方に配置してもよい。
【００３５】
カバー１０に用いる材質としては、乳幼児１を寝かせたときに外部からの衝撃から保護できるように、少なくとも乳幼児１を乗せる面１０Ａの裏面にクッション材を付設したり、あるいは面１０Ａそのものをクッション材で形成しても良い。
【００３６】
このようなカバー１０に胴体帯部材３及び一対の帯部材４，５を設けた乳児用拘束用具の使用方法としては、例えば、図４に示すように、休憩所などに設置されているベビーベッドと称される折りたたみ式あるいは据え置きタイプの載置台２０に開口部１０Ｂを開いた状態で装着し、装着後にジッパー１１を占める。このとき、カバー１０が載置台２０に対して大き過ぎるとカバーがずれてしまうとともに、胴体帯部材３及び一対の帯部材４，５で胴体１Ａや両腕１Ｂ、１Ｃを拘束してもカバー１０が載置台２０から浮いてしまい、乳幼児１の姿勢を拘束状態に保持することができないので、カバー１０の大きさは載置台２０の規格に対応する大きさとするのが好ましい。
【００３７】
あるいは、開口部１０Ｂを開閉する封止部材をジッパー１１ではなく、図５に示すように、ゴムバンド１２等の伸び縮みする材質を開口部１０Ｂの両端に固定し、カバー１０を載置台２０に装着した後にゴムバンド１２を載置台２０に引っ掛けたり、ゴムバンド１２同士を引っ掛けて、カバー１０を載置台２０に対してゴムの弾性力を利用して弛みのないように装着するようにしても良い。
【００３８】
このようなカバー１０に胴体帯部材３及び一対の帯部材４，５を設けた乳児用拘束用具とすると、乳幼児１の胴体１Ａと両腕１Ｂ，１Ｃとを確実に拘束した状態に保持することができるので、寝返りや起き上がりを有効に防止でき、オムツ交換時やベビーパウダーや薬等を付ける際の使い勝手がよい。また、載置台２０に対して容易にカバー１０を着脱することができるので、カバー１０の交換や取付けを容易に行なえ、汚れた場合に洗濯したりすることが可能であり、使い勝手がより良くなる。
【００３９】
カバー１０の乳幼児１を乗せる面１０Ａを、撥水性素材としたり、あるいは乳幼児１を乗せる面１０Ａに撥水加工を施すと、オムツ交換時にお漏らしをした場合でもカバー１０へのしみ込みを防止できると共に、容易に拭き取る事ができるので、使い勝手がよくなるので好ましい。
（第三の形態）
図６に示す乳児用拘束用具は、乳幼児を乗せる基体となるボード３０と、ボードに装着する布製のカバー４０と、カバー４０の乳幼児を乗せる面４０Ａまたはボード３０の乳幼児を乗せる一面３０Ａに、胴体帯部材３及び一対の帯部材４，５を設けたものである。
【００４０】
ボード３０の材質としては、カバー４０をその外周に装着したときに、すなわち、カバー３０の中に入って収まったときに、芯材として機能させる場合には、拘束した乳幼児１が動いたときに、それに合わせて変形しない方が好ましいので、硬質ウレタンや発砲ウレタンなどの材質の板状部材を用いるのが好ましい。無論、樹脂製の板材を用いてもよい。また、図１に示したボート２のように乳幼児の下半身１Ｄが位置する部分に、傾斜面、半球状、断面Ｕ字形状のくぼみ部６０を形成しても良い。あるいは、ボード４０の形状としては平板状ではなく、ボード全体が弓状に湾曲した形状であっても良い。本形態における胴体帯部材３及び一対の帯部材４，５の取付けについては、カバー４０に設ける場合には、第二の形態同様、カバー４０の乳幼児１を乗せる面４０Ａに縫い付ければよい。
【００４１】
乳幼児１を乗せる面４０Ａには、クッション材を縫い付けられていて、乳幼児１を寝かせたときに外部からの衝撃から保護できるとともに、座りよくなるように構成されている。
【００４２】
カバー４０は、その一部が開口可能であり、ボード３０が収容可能な大きさの袋状を成し、その開口部４０Ｂを閉じる封止部材としてホック３３が開口部４０Ｂ近傍に設けられている。
【００４３】
このような構成の乳児用拘束用具によると、ボード３０に装着されたカバー４０の面４０Ａに乳幼児１を乗せる面４０Ａに乳幼児１を仰向けに寝かせ、離れている両端３ａ，３ｂを持って胴体帯部材３を胴体１Ａに巻きつけ両端３ａ，３ｂを連結するように装着する。次に、両腕１Ｂ，１Ｃの上にして、帯部材４，５離れている両端４ａ，４ｂ及び両端５ａ，５ｂを持って両腕１Ｂ，１Ｃに巻きつけ各両端をそれぞれ連結するように装着する。このため、図７に示すように、ボード３０で乳幼児１の体全体を支えつつも胴体１Ａと両腕１Ｂ，１Ｃを確実に拘束することができるので、寝返りや起き上がりを有効に防止でき、オムツ交換時やベビーパウダーや薬等を付ける際の使い勝手がよい。また、カバー４０をボード３０から取外すことができるので、汚れた場合には取外して洗濯することが可能であり、衛生的である。
【００４４】
本形態では、胴体帯部材３及び一対の帯部材４，５をカバー４０に縫い付けているが、この場合、カバー４０が延びてしまったり、ボード３０に対して動いてしまうと、乳幼児１を拘束した状態で保持するのが難しいこともある。このため、図８に示すように、胴体帯部材３及び一対の帯部材４，５を配置するボード３０の部位に、胴体帯部材３及び一対の帯部材４，５が挿通可能な大きさの開口部３６，３７，３８を設け、開口部３６，３７，３８にそれぞれ胴体帯部材３と一対の帯部材４，５を挿通させるとともに、各開口部と対面するカバー３０の部位にスリット３９をそれぞれ設け、各スリットから開口部３６，３７，３８に挿通した胴体帯部材３と一対の帯部材４，５の各両端をそれぞれ突出させるようにしてもよい。
【００４５】
このようにすると、胴体帯部材３と一対の帯部材４，５によって拘束された乳幼児１が動いた場合でも、胴体帯部材３と一対の帯部材４，５は剛性のあるボード３０によって支持されるので、カバー４０に縫い付ける場合よりも延びを抑えられ、乳幼児１を拘束した状態に維持し易くなる。また、胴体帯部材３と一対の帯部材４，５は開口部３６，３７，３８に挿通されているだけなので、汚れた場合には取外して洗濯をすることができ、衛生的である。
【００４６】
上述した胴体帯部材３及び一対の帯部材４，５の両端の着脱形態としては、各両端にマジックテープ（登録商標）のような凹凸係合部を設ける、ボタンとボタンホールなどの係脱部を設ける、雄雌状のホックなどを設ける形態が挙げられる。また、上述した胴体帯部材３及び一対の帯部材４，５の形態としては、ベルト、紐、マジックテープ（登録商標）そのもの、ゴム紐などが挙げられる。
【００４７】
各形態において、一対の帯部材４，５は基体に対して斜めに配置して、乳幼児の両腕１Ｂ，１Ｃを斜めに拘束するようにしたが、胴体帯部材３同様、略横長に配置して両腕１Ｂ，１Ｃを横方向から拘束するようにしても良い。
【図面の簡単な説明】
【００４８】
【図１】（ａ）は本考案に係る乳幼児用拘束用具の第１の実施形態を示す平面図、（ｂ）は乳幼児用拘束用具の側面断面図である。
【図２】図１に示す乳幼児用拘束用具による乳幼児の拘束状態を示す平面視図である。
【図３】本考案に係る乳幼児用拘束用具の第２の実施形態を示す平面視図である。
【図４】図３に示す乳幼児用拘束用具による乳幼児の拘束状態を示す平面視図である。
【図５】乳幼児用拘束用具の第２の実施形態の変形例を示す平面視図である。
【図６】本考案に係る乳幼児用拘束用具の第３の実施形態を示す平面視図である。
【図７】図６に示す乳幼児用拘束用具による乳幼児の拘束状態を示す平面視図である。
【図８】乳幼児用拘束用具の第４の実施形態の変形例を示す平面図である。
【符号の説明】
【００４９】
１    乳幼児
１Ａ    胴体部分
１Ｂ，１Ｃ    乳幼児の両腕
２，２０，３０    基体
２Ａ，４０Ａ    基体の一面
３    胴体帯部材
３ａ，３ｂ    両端
４，５    一対の帯部材
４（ａ，ｂ）、５（ａ，ｂ）    両端
１０，４０    カバー
２０Ａ，３０Ａ    乳幼児を乗せる面
１１，１２，３３  封止部材
【図１】
0003127841.tif 000003
【図２】
0003127841.tif 000004
【図３】
0003127841.tif 000005
【図４】
0003127841.tif 000006
【図５】
0003127841.tif 000007
【図６】
0003127841.tif 000008
【図７】
0003127841.tif 000009
【図８】
0003127841.tif 000010